(57)【要約】【課題】  乳幼児乗降用の開閉部の開閉および乳幼児の乗降が行いやすい対面型、非対面型兼用のベビーカー用カバーを提供する。【解決手段】  ベビーカーの前フレームとカバー１０とを連結する連結部材１１と、前フレームの上側においてのみ開閉される乳幼児乗降用の開閉部１２とを有し、開閉部１２の下端両角部１３が対面型ベビーカーの押し手フレームの挿入部となっており、カバー天部後端両角部１５が非対面型ベビーカーの押し手フレームの挿入部となっている。開閉部１２はその両側に設けられたスライドファスナー３０によって開閉可能になっているとともに、当該両側におけるカバー本体側にはスライドファスナー３０に沿って補強用の棒材３１が設けられている。カバー１０を構成する全てのシート材が、蚊を通さない程度のメッシュ材で構成されている。【選択図】図１
2004338705.tif 000002
【特許請求の範囲】
【請求項１】
フレームと、このフレームに搭載された、乳幼児を乗せるシートと、このシートの前側にあって乳幼児が乗るスペースを区画する前フレームとを有するベビーカーに被せて使用するカバーであって、
前記前フレームとカバーとを連結する連結部材と、前記前フレームの上側においてのみ開閉される、乳幼児乗降用の開閉部とを有していることを特徴とするベビーカー用カバー。
【請求項２】
フレームと、このフレームに搭載された、乳幼児を乗せるシートと、このシートの前側にあって乳幼児が乗るスペースを区画する前フレームとを有する対面型または非対面型のベビーカーに被せて使用することができる対面型、非対面型兼用のカバーであって、
前記前フレームとカバーとを連結する連結部材と、前記前フレームの上側においてのみ開閉される乳幼児乗降用の開閉部とを有し、
前記開閉部の下端両角部が対面型ベビーカーの押し手フレームの挿入部となっており、カバー天部後端両角部が非対面型ベビーカーの押し手フレームの挿入部となっていることを特徴とするベビーカー用カバー。
【請求項３】
前記開閉部はその両側に設けられたスライドファスナーによって、開閉可能になっているとともに、当該両側におけるカバー本体側には前記スライドファスナーに沿って補強用の棒材が設けられていることを特徴とする請求項１または２記載のベビーカー用カバー。
【請求項４】
カバーを構成する全てのシート材が、蚊を通さない程度のメッシュ材で構成されていることを特徴とする請求項１，２または３記載のベビーカー用カバー。
【請求項５】
カバーを構成する全てのシート材が、雨を通さないビニールシートで構成されていることを特徴とする請求項１，２または３記載のベビーカー用カバー。
【発明の詳細な説明】
【技術分野】
【０００１】
本発明は、ベビーカー用カバーに関する。主としてベビーカー用の蚊帳として適しているベビーカー用カバーに関するものである。
【背景技術】
【０００２】
従来のベビーカー用カバーとして、フレームと、このフレームに搭載された、乳幼児を乗せるシートと、このシートの前側にあって乳幼児が乗るスペースを区画する前フレームとを有するベビーカーに被せて使用するカバーが知られている（例えば、特許文献１〜３参照）。
また、カバーの前面が下方から上方に向けて全開されるようになっているものもあり（例えば、特許文献２，４参照）、窓部のみが開閉されるようになっているものもある（例えば特許文献５参照）。
さらに、対面型（乳幼児と例えば母親が向き合うように乳幼児を乗せるタイプ）または非対面型（乳幼児と例えば母親とがともに前方を向くように乳幼児を乗せるタイプ）のベビーカーに被せて使用することができる対面型、非対面型兼用のものも知られており（例えば特許文献１参照）、カバーを構成する全てのシート材が、蚊を通さない程度のメッシュ材で構成されているものも知られている（例えば特許文献３参照）。
【０００３】
【特許文献１】特開２００３−５４４１６号公報（００１８−００２０段落、図１−４）
【特許文献２】実開昭５３−９９７５５号公報全文明細書（実用新案登録請求の範囲、第１−３図）
【特許文献３】特開２０００−１５９１２２号公報（特許請求の範囲、図１−２）
【特許文献４】実用新案登録第３０９１４２７号公報（実用新案登録請求の範囲、図１）
【特許文献５】実開昭５２−５４５５３号公報（全文明細書第３頁（ニ）欄、第３，４図）
【発明の開示】
【発明が解決しようとする課題】
【０００４】
例えば上記特許文献２、４のものは、カバーの前面が下方から上方に向けて全開されるようになっているので、当該前面を開けることにより、乳幼児を乗降させることができるが、カバーの前面が下方から上方に向けて全開されるようになっているので、当該前面を開けた際に、カバーの側面（特に下部）が乱れやすい。したがって、前面の開閉が行いにくいとともに、乳幼児の乗降もさせにくい。特に、カバーを構成する全てのシート材が、蚊を通さない程度のメッシュ材で構成されている（カバーが蚊帳である）場合には、前面の開閉が一層行いにくくなるとともに、乳幼児の乗降もさせにくくなる。
なお、上記特許文献１のものは、乳幼児を乗降させるための開閉部を有していない。特許文献３のものは、開閉部がスリット状であるので、乳幼児の乗降がさせにくい。特許文献５のものは、窓部を通して乳幼児を乗降させ得ない。
また、特許文献１のものは、対面型、非対面型兼用のカバーではあるが、対面型のベビーカーに用いる場合には、背面カバーを取り外さなければならず、その作業が面倒である。
【０００５】
この発明の目的は、以上のような問題を解決し、乳幼児乗降用の開閉部の開閉および乳幼児の乗降が行いやすいベビーカー用カバーを提供することにある。また、対面型、非対面型いずれのベビーカーにも用いやすいベビーカー用カバーを提供することにある。
【課題を解決するための手段】
【０００６】
上記目的を達成するために請求項１記載のベビーカー用カバーは、フレームと、このフレームに搭載された、乳幼児を乗せるシートと、このシートの前側にあって乳幼児が乗るスペースを区画する前フレームとを有するベビーカーに被せて使用するカバーであって、
前記前フレームとカバーとを連結する連結部材と、前記前フレームの上側においてのみ開閉される、乳幼児乗降用の開閉部とを有していることを特徴とする。
請求項２記載のベビーカー用カバーは、フレームと、このフレームに搭載された、乳幼児を乗せるシートと、このシートの前側にあって乳幼児が乗るスペースを区画する前フレームとを有する対面型または非対面型のベビーカーに被せて使用することができる対面型、非対面型兼用のカバーであって、
前記前フレームとカバーとを連結する連結部材と、前記前フレームの上側においてのみ開閉される乳幼児乗降用の開閉部とを有し、
前記開閉部の下端両角部が対面型ベビーカーの押し手フレームの挿入部となっており、カバー天部後端両角部が非対面型ベビーカーの押し手フレームの挿入部となっていることを特徴とする。
請求項３記載のベビーカー用カバーは、請求項１または２記載のベビーカー用カバーにおいて、前記開閉部はその両側に設けられたスライドファスナーによって、開閉可能になっているとともに、当該両側におけるカバー本体側には前記スライドファスナーに沿って補強用の棒材が設けられていることを特徴とする。
請求項４記載のベビーカー用カバーは、請求項１，２または３記載のベビーカー用カバーにおいて、カバーを構成する全てのシート材が、蚊を通さない程度のメッシュ材で構成されていることを特徴とする。
請求項５記載のベビーカー用カバーは、請求項１，２または３記載のベビーカー用カバーにおいて、カバーを構成する全てのシート材が、雨を通さないビニールシートで構成されていることを特徴とする。
【発明の効果】
【０００７】
請求項１記載のベビーカー用カバーは、フレームと、このフレームに搭載された、乳幼児を乗せるシートと、このシートの前側にあって乳幼児が乗るスペースを区画する前フレームとを有するベビーカーに被せて使用するカバーであって、
前記前フレームとカバーとを連結する連結部材と、前記前フレームの上側においてのみ開閉される、乳幼児乗降用の開閉部とを有しているので、このベビーカー用カバーによれば、次のような作用効果が得られる。
すなわち、前フレームとカバーとが連結部材で連結され、乳幼児乗降用の開閉部が前記前フレームの上側においてのみ開閉されるので、開閉部を開けた際に、カバーの側面が乱れにくくなる。
したがって、上記開閉部自体の開閉が行いやすくなるとともに、乳幼児の乗降もさせやすくなる。特に、請求項４に記載のようにカバーを構成する全てのシート材が蚊を通さない程度のメッシュ材で構成されている（カバーが蚊帳である）場合でも、開閉部の開閉が行いやすくなるとともに、乳幼児の乗降もさせやすくなる。
請求項２記載のベビーカー用カバーは、フレームと、このフレームに搭載された、乳幼児を乗せるシートと、このシートの前側にあって乳幼児が乗るスペースを区画する前フレームとを有する対面型または非対面型のベビーカーに被せて使用することができる対面型、非対面型兼用のカバーであって、
前記前フレームとカバーとを連結する連結部材と、前記前フレームの上側においてのみ開閉される乳幼児乗降用の開閉部とを有し、
前記開閉部の下端両角部が対面型ベビーカーの押し手フレームの挿入部となっており、カバー天部後端両角部が非対面型ベビーカーの押し手フレームの挿入部となっているので、このベビーカー用カバーによれば、次のような作用効果が得られる。
すなわち、対面型、非対面型いずれのベビーカーに用いる場合にも、その前フレームとカバーとが連結部材で連結され、乳幼児乗降用の開閉部が前記前フレームの上側においてのみ開閉されるので、開閉部を開けた際に、カバーの側面が乱れにくくなる。
したがって、上記開閉部自体の開閉が行いやすくなるとともに、乳幼児の乗降もさせやすくなる。特に、請求項４に記載のようにカバーを構成する全てのシート材が蚊を通さない程度のメッシュ材で構成されている（カバーが蚊帳である）場合でも、開閉部の開閉が行いやすくなるとともに、乳幼児の乗降もさせやすくなる。
また、前記開閉部の下端両角部が対面型ベビーカーの押し手フレームの挿入部となっており、カバー天部後端両角部が非対面型ベビーカーの押し手フレームの挿入部となっているので、カバーの一部を着脱することなく、対面型、非対面型いずれのベビーカーにも容易に装着することができる。
請求項３記載のベビーカー用カバーによれば、前記開閉部はその両側に設けられたスライドファスナーによって、開閉可能になっているとともに、当該両側におけるカバー本体側には前記スライドファスナーに沿って補強用の棒材が設けられているので、スライドファスナーを容易にスライドさせることができる。
したがって、開閉部の開閉が一層行いやすくなる。
また、前記補強用の棒材はカバー本体側に設けられているので、開閉部を開けた際のカバー側面の保形性が向上する。
したがって、乳幼児の乗降も一層行いやすくなる。特に、請求項４に記載のようにカバーを構成する全てのシート材が蚊を通さない程度のメッシュ材で構成されている（カバーが蚊帳である）場合でも、開閉部の開閉が行いやすくなるとともに、乳幼児の乗降もさせやすくなる。
請求項４記載のベビーカー用カバーは、カバーを構成する全てのシート材が、蚊を通さない程度のメッシュ材で構成されているので、ベビーカー用蚊帳として適している。
請求項５記載のベビーカー用カバーは、カバーを構成する全てのシート材が、雨を通さないビニールシートで構成されているので、ベビーカー用雨具として適している。
【発明を実施するための最良の形態】
【０００８】
以下、本発明の実施の形態について図面を参照して説明する。
図１は本発明に係るベビーカー用カバーの一実施の形態を示す概略斜視図である。図２は、非対面型のベビーカーに用いた場合の概略斜視図で、（ａ）は開閉部を閉じた状態を、（ｂ）は開閉部を開けた状態を示している。図３は、対面型のベビーカーに用いた場合の概略斜視図で、（ａ）は開閉部を閉じた状態を、（ｂ）は開閉部を開けた状態を示している。図４（ａ）〜（ｋ）はカバーの構成部品を示す図である。
【０００９】
図２に示すベビーカーＣは、非対面型（乳幼児と例えば母親とがともに前方を向くように乳幼児を乗せるタイプ）のベビーカーであり、フレームＦと、このフレームＦに搭載された、乳幼児を乗せるシートＳと、このシートＳの前側にあって乳幼児が乗るスペースを区画する前フレームＦ１とを有している。
図３に示すベビーカーＣ’は、対面型（乳幼児と例えば母親が向き合うように乳幼児を乗せるタイプ）のベビーカーであり、フレームＦと、このフレームＦに搭載された、乳幼児を乗せるシートＳと、このシートＳの前側にあって乳幼児が乗るスペースを区画する前フレームＦ１とを有している。
なお、これらのベビーカーはシートＳの上部に日除け部Ｓ１を有している。
【００１０】
図１〜図３に示すように、このベビーカー用カバー１０は、上記のような非対面型または対面型のベビーカーに被せて使用することができる対面型、非対面型兼用のカバーであって、ベビーカーＣ（またはＣ’（以下、特にことわらない限り同じ））の前フレームＦ１とカバー１０とを連結する連結部材１１と、前フレームＦ１の上側においてのみ開閉される乳幼児乗降用の開閉部１２とを有し、開閉部１２の下端両角部１３，１３（図３参照）が対面型ベビーカーＣ’の押し手フレームＦ２の挿入部となっており、カバー天部１４（図２参照）の後端両角部１５，１５が非対面型ベビーカーＣの押し手フレームＦ２の挿入部となっている。
【００１１】
図１〜図４（主として図１，図４）に示すように、このベビーカー用カバー１０は、両側面および背面を形成する一対の側面シート２０，２０、前面下部を形成する下前面シート２１、前記開閉部１２を形成する開閉シート２２、上記天部１４を形成する上面シート２３を、それぞれの縁部を適宜バイアステープ２４（図１参照）を沿わせて縫着することにより構成されている。
具体的には、図１，図４に示すように、側面シート２０、２０の後縁２０ａ、２０ａ同士を縫着する。
側面シート２０、２０の前縁２０ｂ、２０ｂと、下前面シート２１の両側縁２１ｂ、２１ｂとをそれぞれ縫着する。
側面シート２０、２０の上縁２０ｃ、２０ｃと、上面シート２３の互いに平行な両側縁２３ｃ、２３ｃとをそれぞれ逢着する。
図５に拡大図を示すように、側面シート２０、２０の傾斜前縁２０ｄ、２０ｄと、開閉シート２２の両側縁２２ｄ、２２ｄの上部約２／３とを図４（ｆ）にも示すようなスライドファスナー３０、３０を介してそれぞれ逢着する。側面シート２０、２０の傾斜前縁２０ｄ、２０ｄ側（カバー本体側）のバイアステープ２４内には、これに図５（ｂ）に示すような補強用の棒材（例えば合成樹脂製の芯）３１を挿入する（バイアステープ２４で包み込む）ような状態で設ける。
開閉シート２２の上縁２２ｅと上面シート２３の前縁２３ｅとを逢着する。
以上のようにしてカバー１０の本体が構成される。
上記各シート２０〜２３および後述するポケットを形成するシート２５（図１，図４（ｅ）、図７参照）は、いずれも、蚊を通さない程度のメッシュ材（例えば公知の蚊帳を形成する生地）で構成されている。
【００１２】
図１および図６（ａ）（ｂ）に示すように、下前面シート２１の上部には、上記連結部材１１をなすベルト３２が設けられている。図４（ｉ）（ｊ）（ｋ）にも示すように、ベルト３２は、その表下端部と裏上端部に、対をなす面ファスナー（マジックテープ（登録商標））３３，３４が逢着されており、中央部３２ａを下前面シート２１の上部に逢着することにより下前面シート２１に取り付けられている。
また、図１および図６（ａ）〜（ｄ）に示すように、下前面シート２１の上部表面側には、面ファスナー３５（図４（ｇ）参照）が逢着されているとともに、開閉シート２２の下部裏面側には、上記面ファスナー３５と対をなす面ファスナー３６（図４（ｈ）参照）が逢着されている。
さらに、図１および図７に示すように、側面シート２０、２０の後端上部表面側には、面ファスナー３７（図４（ｇ）参照）が逢着されているとともに、図６（ｅ）（ｆ）に示すように、上面シート２３の後部裏面側には、上記面ファスナー３７と対をなす面ファスナー３８（図４（ｈ）参照）が逢着されている。
なお、図１および図７に示すように、側面シート２０、２０の後部表面側には、ポケット２５（図４（ｅ）参照）が逢着されている。
【００１３】
以上のようなベビーカー用カバー１０は、図２または図３に示したように、非対面型のベビーカーＣまたは対面型のベビーカーＣ’に被せて使用することができる。
非対面型のベビーカーＣ（図２）に使用する場合、まず、図１に示すように、側面シート２０後部の面ファスナー３７と上面シート２３後部の面ファスナー３８とを外した状態（分離させた状態）で、両シート２０，２３の間（カバーの上部後ろ）に形成される空間Ａ１に、図２に示すようにベビーカーＣの押し手フレームＦ２を通すようにして、ベビーカー用カバー１０を被せる。
次いで、側面シート２０後部の面ファスナー３７と上面シート２３後部の面ファスナー３８とを連結するとともに、連結部材１１をなすベルト３２を前フレームＦ１に巻き付けるようにしてその両端の面ファスナー３３，３４同士を結合させる。これによって、図２に示すようにカバー１０がベビーカーＣに装着される。
装着された状態では、開閉シート２２両側のスライドファスナー３０を開き、開閉シート２２の下部２２ｆを摘んで、その面ファスナー３６と下前面シート２１の面ファスナー３５とを分離させることによって、図２（ｂ）に示すように、開閉シート２２を天部１４の上方に捲り上げるようにして開閉部１２を開放することができ、この状態で乳幼児をシートＳに乗降させることができる。
また、乳幼児を乗せた後、必要に応じて図２（ａ）に示すように、開閉シート２２を閉じ、その面ファスナー３６を下前面シート２１の面ファスナー３５に結合させるとともにスライドファスナー３０、３０を閉じることで、乳幼児をカバー（蚊帳）１０で略完全に覆った状態とし、乳幼児を蚊等の虫や直射日光から保護することができる。カバー１０はメッシュ生地で構成されているので良好な風通しが得られ、乳幼児に不快感を与えることもない。
【００１４】
一方、対面型のベビーカーＣ’に使用する場合、まず、図３（ｂ）に示すように、開閉シート２２を開けた状態とし、その開口Ａ２にベビーカーＣ’の押し手フレームＦ２を通すようにして、ベビーカー用カバー１０をベビーカーＣ’に被せる。この際、側面シート２０後部の面ファスナー３７と上面シート２３後部の面ファスナー３８は連結させた状態としておいてもよいし、カバーを被せた後に連結してもよい。
次いで、連結部材１１をなすベルト３２を前フレームＦ１に巻き付けるようにしてその両端の面ファスナー３３，３４同士を結合させる。これによって、カバー１０がベビーカーＣに装着される。
装着された状態では、上記開口Ａ２により、乳幼児をシートＳに乗降させることができる。
また、乳幼児を乗せた後、必要に応じて図３（ａ）に示すように、開閉シート２２を閉じ、その面ファスナー３６を下前面シート２１の面ファスナー３５に結合させるとともにスライドファスナー３０、３０を閉じることで、乳幼児をカバー（蚊帳）１０で略完全に覆った状態とし、乳幼児を蚊等の虫や直射日光から保護することができる。
【００１５】
以上のようなベビーカー用カバー１０によれば次のような作用効果が得られる。
（ａ）このベビーカー用カバー１０は、フレームＦと、このフレームＦに搭載された、乳幼児を乗せるシートＳと、このシートＳの前側にあって乳幼児が乗るスペースを区画する前フレームＦ１とを有するベビーカーに被せて使用するカバーであって、
前フレームＦ１とカバー１０とを連結する連結部材１１と、前フレームＦ１の上側においてのみ開閉される、乳幼児乗降用の開閉部１２とを有しているので、このベビーカー用カバー１０によれば、次のような作用効果が得られる。
すなわち、前フレームＦ１とカバー１０とが連結部材１１で連結され、乳幼児乗降用の開閉部１２が前フレームＦ１の上側においてのみ開閉されるので、開閉部１２を開けた際に、カバー１０の側面（２０）が乱れにくくなる。
したがって、開閉部１２自体の開閉が行いやすくなるとともに、乳幼児の乗降もさせやすくなる。特に、この実施の形態のようにカバー１０を構成する全てのシート材が蚊を通さない程度のメッシュ材で構成されている（カバーが蚊帳である）場合でも、開閉部１２の開閉が行いやすくなるとともに、乳幼児の乗降もさせやすくなる。
（ｂ）このベビーカー用カバー１０は、前フレームＦ１を有する対面型または非対面型のベビーカーに被せて使用することができる対面型、非対面型兼用のカバーであって、開閉部１２の下端両角部１３，１３が対面型ベビーカーＣ’の押し手フレームＦ２の挿入部となっており、カバー天部後端両角部１５，１５が非対面型ベビーカーＣの押し手フレームＦ２の挿入部となっているので、このベビーカー用カバーによれば、次のような作用効果が得られる。
すなわち、対面型、非対面型いずれのベビーカーに用いる場合にも、その前フレームＦ１とカバー１０とが連結部材で連結され、乳幼児乗降用の開閉部１２が前フレームＦ１の上側においてのみ開閉されるので、開閉部１２を開けた際に、カバー１０の側面（２０）が乱れにくくなる。
したがって、開閉部１２自体の開閉が行いやすくなるとともに、乳幼児の乗降もさせやすくなる。特に、この実施の形態のようにカバー１０を構成する全てのシート材が蚊を通さない程度のメッシュ材で構成されている（カバーが蚊帳である）場合でも、開閉部１２の開閉が行いやすくなるとともに、乳幼児の乗降もさせやすくなる。
そして、開閉部１２の下端両角部１３，１３が対面型ベビーカーＣ’の押し手フレームＦ２の挿入部となっており、カバー天部後端両角部１５，１５が非対面型ベビーカーＣの押し手フレームＦ２の挿入部となっているので、カバー１０の一部を着脱することなく、対面型、非対面型いずれのベビーカーにも容易に装着することができる。
（ｃ）開閉部１２はその両側に設けられたスライドファスナー３０，３０によって、開閉可能になっているとともに、当該両側におけるカバー本体側にはスライドファスナー３０に沿って補強用の棒材３１が設けられているので、スライドファスナー３０を容易にスライドさせることができる。
したがって、開閉部１２の開閉が一層行いやすくなる。
また、補強用の棒材３１はカバー本体側に設けられているので、開閉部１２を開けた際のカバー側面（２０）の保形性が向上する。
したがって、乳幼児の乗降も一層行いやすくなる。特に、この実施の形態のようにカバーを構成する全てのシート材が蚊を通さない程度のメッシュ材で構成されている（カバーが蚊帳である）場合でも、開閉部１２の開閉が行いやすくなるとともに、乳幼児の乗降もさせやすくなる。
（ｄ）このベビーカー用カバー１０は、カバーを構成する全てのシート材が、蚊を通さない程度のメッシュ材で構成されているので、ベビーカー用蚊帳として適している。
【００１６】
以上、本発明の実施の形態について説明したが、本発明は上記の実施の形態に限定されるものではなく、本発明の要旨の範囲内において適宜変形実施可能である。
例えば、図８に示すように、カバー１０はビニールシートで構成し、雨よけカバーとして用いることも可能である。この場合、ビニールシートとしては、例えば、PVC樹脂(塩化ビニル樹脂)シート、PEVA(エチレン酢酸ビニルにポリエチレンを混ぜた合成樹脂)シート、PE(ポレエチレン)シートなどを用い、特に透明性があるシートを用いることが望ましい。また、この場合、図８に示すように、左右のサイド面に空気を逃がすメッシュ状の窓穴４０を設ける。
【図面の簡単な説明】
【００１７】
【図１】本発明に係るベビーカー用カバーの一実施の形態を示す概略斜視図。
【図２】非対面型のベビーカーに用いた場合の概略斜視図で、（ａ）は開閉部を閉じた状態を、（ｂ）は開閉部を開けた状態を示している図。
【図３】対面型のベビーカーに用いた場合の概略斜視図で、（ａ）は開閉部を閉じた状態を、（ｂ）は開閉部を開けた状態を示している図。
【図４】（ａ）〜（ｋ）はカバーの構成部品を示す図。
【図５】（ａ）は図１におけるファスナー部の拡大斜視図、（ｂ）は補強用の棒材を示す斜視図。
【図６】（ａ）は下前面シート２１およびこれに取り付けられた連結部材１１を示す表面図、（ｂ）は同じく裏面図、（ｃ）は開閉シート２２およびこれに取り付けられたスライドファスナー３０，面ファスナー３６を示す表面図、（ｄ）は同じく裏面図、（ｅ）は上面シート２３およびこれに取り付けられた面ファスナー３８を示す表面図、（ｆ）は同じく裏面図。
【図７】側面シート２０およびこれに取り付けられたポケット、面ファスナー３７を示す表面図。
【図８】他の実施の形態を示す概略斜視図。
【符号の説明】
【００１８】
Ｆ    フレーム
Ｓ    シート
Ｆ２    前フレーム
Ｃ’  対面型ベビーカー
Ｃ    非対面型のベビーカー
１０    ベビーカー用カバー
１１    連結部材
１２    開閉部
１３    下端両角部
１５    天部後端両角部
３０    スライドファスナー
３１    補強用の棒材
【図１】
2004338705.tif 000003
【図２】
2004338705.tif 000004
【図３】
2004338705.tif 000005
【図４】
2004338705.tif 000006
【図５】
2004338705.tif 000007
【図６】
2004338705.tif 000008
【図７】
2004338705.tif 000009
【図８】
2004338705.tif 000010